(57)【要約】【課題】  この発明は、落ち葉などの比較的大型のごみを除去するために、フィルターを不要とし、大型のごみに対して使用しても連続して長時間使用可能な集塵機を得ることを課題とするものである。【解決手段】  この発明の集塵機は、上端及び下端が開口した中空の排出体１の下部に外壁４を設け、前記外壁の下部を前記排出体の下縁に向けて屈曲させ、前記外壁の上部と排出体の側壁との間には塞板を設け、前記排出体の下部と外壁との間に送風管７を接続して構成する。  この構成により、前記送風管から排出体と外壁との間に流入した風が前記排出体の下縁屈曲部に案内されて排出体に入り、排出体内に発生する揚力により物が排出体の上端から吹き出す。【選択図】 図１
2005238047.tif 000002
【特許請求の範囲】
【請求項１】
上端及び下端が開口した中空の排出体の下部に外壁を設け、
前記外壁の下部を前記排出体の下縁に向けて屈曲させ、
前記外壁の上部と排出体の側壁との間には塞板を設け、
前記排出体の下部と外壁との間に送風管を接続し、
前記送風管から排出体と外壁との間に流入した風が前記排出体の下縁屈曲部に案内されて排出体に入り、排出体内に発生する揚力により物が排出体の上端から吹き出すようにした、
集塵機
【請求項２】
送風管の内壁に風に回転を与える羽根を設けた、請求項１記載の集塵機
【請求項３】
排出体は断面長方形の箱状とした、請求項１又は２に記載の集塵機
【請求項４】
請求項１ないし３の集塵機を取り付け、この集塵機に加圧空気を供給するモーター又はエンジンを登載した集塵作業車
【発明の詳細な説明】
【技術分野】
【０００１】
この発明は、吸引式集塵機と異なり、送風を渦巻き状に変え底の部分にぶつけて上昇気流を作ることにより得られる揚力を利用した集塵機及び集塵作業車に関するものであり、特に落ち葉やゴルフ場における枯葉の回収に適したものである。
【背景技術】
【０００２】
従来の集塵機は、物を吸引し空気と物をフィルターで分離する構成である、そのために物が容積内に一杯になれば、作業を中断、あるいはフィルターの目詰まりで停止せざるをえない。
また、吸引力を得るために、排出体は比較的細沿い管状のものとせざるを得ず、落ち葉のように比較的大きなものを吸引するためには、極めて大出力のモーターが必要とされた。
【特許文献１】特公平４−１９９１６号
【０００３】
この発明は、管を内外二重として内外管の間に空気を通して下端から吹き出し、その空気によって内管内に揚力を発生させるようにしたものである。
この発明の構造においては、内管を太くするとそれに伴い外管も太くなり、装置が大型化するという問題点がある。
【発明の開示】
【発明が解決しようとする課題】
【０００４】
この発明は、落ち葉などの比較的大型のごみを除去するために、排出体を大型化しつつ、装置を可及的に小さくすること、そしてフィルターを不要とし、大型のごみに対して使用しても連続して長時間使用可能な集塵機を得ることを課題とするものである。
【課題を解決するための手段】
【０００５】
この発明の集塵機は、上端及び下端が開口した中空の排出体の下部に外壁を設け、前記外壁の下部を前記排出体の下縁に向けて屈曲させ、前記外壁の上部と排出体の側壁との間には塞板を設け、前記排出体の下部と外壁との間に送風管を接続して構成する。
この構成により、前記送風管から排出体と外壁との間に流入した風が前記排出体の下縁屈曲部に案内されて排出体に入り、排出体内に発生する揚力により物が排出体の上端から吹き出す。
前記送風管の内壁に風に回転を与える羽根を設けることが好ましい（請求項２）。請求項３の発明は、前記排出体を断面長方形の箱状としたものである。
請求項４の発明は、請求項１ないし３の集塵機を取り付け、この集塵機に加圧空気を供給するモーターを登載して集塵作業車としたものである。
【発明の効果】
【０００６】
この発明によれば、送風管から下向きに流れる風は排出体と外壁との間に流入した後、外壁の下部の屈曲部で斜め上向きに向きを変えて排出体に流入し、その上方に向けて上昇する。この時に発生する揚力により物を上昇させ、その上端開口部から排出する。上端開口部に籠、ネットなどを接続して物を集める。
請求項２の発明によれば、送風管を流れる風は羽根によって螺旋流になり、一層強い揚力を得ることができる。また請求項３の発明によれば、排出体を断面長方形としたので、幅広に形成することができ、街路における落ち葉の回収・除去やゴルフ場の落ち葉の回収・除去などに好適である。
そして、この発明の集塵機はフィルターが不要であり、目詰まりのおそれがなく長時間の連続使用が可能である。
揚力は、送風管から流入する風の強さ、送風管の内径の大小により変化させることができる。
【発明を実施するための最良の形態】
【０００７】
図において、排出体１は断面扁平な長方形とした箱状であって、その上部は湾曲してゴミを収集しやすくしてあり、上端は開口して排出口２としてある。また下端は開口して流入口３としてある。
前記排出体１の下部において、長縁側側壁に沿って外壁４が設けてある。外壁４の上縁と排出体１の側壁との間及び外壁４の両端縁と排出体１との間は閉塞され、排出体１と外壁４との間に空気流入室５が形成されている。また、前記外壁４の下部は前記排出体１の下縁側に屈曲した屈曲部６としてあり、送風管７を下降した風が排出体１へ流入するようにしてある。前記屈曲部の角度は、内角において４５度乃至６０度程度が適当である。
前記空気流入室５には送風管７の端部が接続してある。この送風管７は内側に螺旋羽根８が設けてあり、送風管７内を下降する風に回転を与えるようにしてある。
【０００８】
上記において、送風管７から送り込まれる風は、送風管７内を螺旋羽根８の作用によって回転力を与えられ、渦巻き流として空気流入室５に流入し、外壁の屈曲部６に案内されて排出体１の流入口３に向かい、排出体内を上昇する。
このとき、流入口３の近傍には負圧が発生し、流入口３の近傍の物吸い込まれ、前記排出体内を上昇する空気の揚力によって排出口２へ向かい、排出口に臨ませた篭、ネットなどに集めることができる。
【０００９】
この実施形態においては、排出体１を断面扁平長方形としたので、比較的小さな空気圧で比較的幅の広い排出体を構成することができる。したがって、街路の落ち葉除去やゴルフ場の清掃など広い面積の落ち葉除去に好適である。
【００１０】
この発明の実施においては、排出体を手に持ち、送風管に加圧空気を供給するためのモーター又はエンジンを作業者が背中に背負う態様の他、排出体を作業車又は台車に取り付け、モーター又はエンジンを作業車や台車の設置する態様が考えられる。図５において、符号１１は作業車、１２は加圧空気を供給するエンジン、１３はこの発明の集塵機、１４はゴミ収集用のネットである。
この発明の集塵機は、集塵機としても、多角的に使用することができる。
【産業上の利用可能性】
【００１１】
この発明は、以上説明したような形態で実施され、簡易な構造で大型のゴミを目詰まりのおそれなく回収・除去することができるものであって、産業上の利用可能性を有するものである。
【図面の簡単な説明】
【００１２】
【図１】この発明実施形態の断面図である。
【図２】同じく正面図である。
【図３】同じく図１のＡ−Ａ断面図である。
【図４】同じく送風管の断面図である。
【図５】この発明の装置を搭載した集塵作業車の概略図である。
【符号の説明】
【００１３】
１    排出体
２    排出口
３    流入口
４    外壁
５    空気流入室
６    屈曲部
７    送風管
８    螺旋羽根  
１１  作業車
１２  エンジン
１３  集塵機
１３  ネット
【図１】
2005238047.tif 000003
【図２】
2005238047.tif 000004
【図３】
2005238047.tif 000005
【図４】
2005238047.tif 000006
【図５】
2005238047.tif 000007